(57)【要約】【課題】加湿機能を十分確保できるよう水噴霧式を採用しながら、噴霧された霧が再びドレン水となって排出されてしまうことを有効に防止すると同時に、ケース全体のコンパクト化に十分寄与することができる新規な加湿装置を提供する。【解決手段】空気が流入する流入口２ｅと空気が流出する流出口２ｆとを有するケース２と、このケース２の内側又は外側に配置されてなるとともに上記流入口２ｅから流入した空気を上記流出口２ｆから流出させるファン３とを備え、上記ケース２内には、上記ファン３の駆動により生ずる気流の経路中に平均粒子径１５ミクロン以下の霧Ｍを噴霧する二流体ノズル４が配置されてなる。【選択図】  図１
2005069497.tif 000002
【特許請求の範囲】
【請求項１】
空気が流入する流入口と空気が流出する流出口とを有するケースと、このケースの内側又は外側に配置されてなるとともに上記流入口から流入した空気を上記流出口から流出させるファンとを備え、上記ケース内には、上記ファンの駆動により生ずる気流の経路中に平均粒子径１５ミクロン以下の霧を噴霧する二流体ノズルが配置されてなることを特徴とする加湿装置。
【請求項２】
前記ケース内には、前記二流体ノズルに水を供給する給水装置及び該二流体ノズルに空気を供給する圧縮機を備えてなることを特徴とする請求項１記載の加湿装置。
【請求項３】
前記二流体ノズルは、前記ケース内において、前記ファンの駆動により生ずる気流の方向とは逆方向に又は逆方向の成分をもって噴霧するよう配置されてなることを特徴とする請求項１又は２記載の加湿装置。
【請求項４】
前記二流体ノズルに供給される水は純水であることを特徴とする請求項１，２又は３記載の加湿装置。
【請求項５】
前記ファンは、併設された空調装置を構成するファンであるとともに、該ファンの駆動により空気が前記流入口から流入し前記流出口から上記空調装置又は室内に加湿された状態で流出することを特徴とする請求項１，２，３又は４記載の加湿装置。
【請求項６】
前記ケースは、天井を構成する天井板上又は壁を構成する壁板の内側に設置されてなることを特徴とする請求項１，２，３，４又は５記載の加湿装置。
【発明の詳細な説明】
【０００１】
【発明が属する技術分野】
本発明は、例えば、事務所，ホテル，病院等の室内の空気を加湿するために使用される加湿装置に関するものである。
【０００２】
【従来の技術】
従来、例えば、事務所，ホテル，病院等において、空調装置は広く使用されているが、空調装置が作動している場合であっても、湿度との関係が極めて重要であり、この湿度が十分でない場合には、以下に述べる種々の悪影響がある。例えば、空調装置により暖房運転がされている場合であっても、室内の空気が乾燥している（湿度が低下している）場合には、人体からの水分の蒸発により、暖かさは感じられない。また、人の健康管理上、相対温度５０％ＲＨ以下である場合には、風邪のウイルスが存在する可能性が高くなる。また、冬場における静電気も湿度が低下している場合に発生しやすく、また、コンタクトレンズを使用している者にとっては、空気の乾燥が目に与える悪影響は大きい。また、こうした湿度の低下は、空調装置による暖房運転時ばかりではなく、冷房運転時においても、該冷房運転時の除湿作用により室内の空気が乾燥し静電気の発生によりＯＡ機器の誤作動も発生する。したがって、室内における湿度は、上述した理由から適度に調整されていることが好ましく、一定の範囲においては、法律により所定の湿度とされていることが決められている。
【０００３】
ところで、こうした要請の中、上記空調装置と併設し、または、独立して加湿装置が設置されている場合がある。こうした加湿装置の加湿手段としては、蒸気式，気化式，水噴霧式の３つの方式に分けることができる。しかしながら、蒸気式では、ボイラ設備が必要であり一般の室内には適さない。また、上記気化式を採用する場合には、設備が複雑となるばかりではなく、空調装置による暖房運転時においては、運転開始時から十分な湿度となるまでに時間がかかり、一方、冷房運転時のような低温域においては、気化効率が悪く、十分な湿度を確保することができない。換言すれば、気化式を採用する場合には、気化効率が室内の空気温度に左右される。特に、近年では、建物の断熱性能の向上（高気密・高断熱化）とＯＡ化による機器の発熱により空調装置の暖房運転が減少する傾向にあり、適正な加湿能力が発揮できないことから、加湿手段として気化式を採用した場合には、相対湿度の悪化は避けられない。また、水噴霧式を採用する場合には、空調装置による暖房運転時においても、蒸気式や気化式と比べて高い加湿機能を期待できる。なお、このような水噴霧式を採用した空調用加湿装置としては、液加圧式の対向する二流体ノズルを用いる空調用加湿装置が提案されている（例えば、特許文献１参照）。
【０００４】
【特許文献１】
特公昭６３−３５８９９号公報
【０００５】
【発明が解決しようとする課題】
しかしながら、この水噴霧式を採用する場合であっても、加湿装置内の部材に噴霧された霧が凝結し、再びドレン水となって排出されてしまい、湿度を効率良く上げることができないことの原因となる霧の凝結を避けるためには、ケース全体の大きさを大型とし、該ケースの内側面や該ケース内に配置された部材と二流体ノズルとの距離をかなり離間させなければならない。
【０００６】
そこで、本発明は、上述した従来の加湿装置が有する課題を解決するために提案されたものであって、噴霧された霧が再びドレン水となって排出されることを有効に防止して十分な加湿機能を確保すると同時に、ケース全体のコンパクト化に十分寄与することができる新規な加湿装置を提供することを目的とするものである。
【０００７】
【課題を解決するための手段】
本発明は、上記目的を達成するために提案されたものであって、第１の発明（請求項１記載の発明）は、空気が流入する流入口と空気が流出する流出口とを有するケースと、このケースの内側又は外側に配置されてなるとともに上記流入口から流入した空気を上記流出口から流出させるファンとを備え、上記ケース内には、上記ファンの駆動により生ずる気流の経路中に平均粒子径１５ミクロン以下の霧を噴霧する二流体ノズルが配置されてなることを特徴とするものである。
【０００８】
この第１の発明では、ファンの駆動により生ずる気流の経路中に平均粒子径１５ミクロン以下の霧を噴霧する二流体ノズルが配置されてなることから、気化式の加湿手段に比べて約３倍の加湿能力を有し、極めて効率良く加湿することができるばかりではなく、噴霧された霧が気化するために必要な空間を著しく狭めることができ、この結果、ケース全体の大きさを十分コンパクトなものとすることができる。
【０００９】
上記平均粒子径１５ミクロン以下の霧を噴霧する二流体ノズルは、狭められた空間においてもケースの内側面や該ケース内に配置された各部材の表面において噴霧された霧が凝結し再び水となることを避けることができる。ケースの小型化を達成する点から、平均粒子径は可能な限り細かい（例えば、１０ミクロン以下）ことが好ましい。この二流体ノズルの配設位置、とりわけ、該二流体ノズルの先端と該二流体ノズルからの霧の噴霧方向に位置する他の部材との距離は、噴霧される霧の平均粒子径によって異なるが、この平均粒子径が細かい場合であっても、二流体ノズルの先端とケースの内側面や他の部材との距離が著しく短い場合には、霧が他の部材の表面で凝結し再び水となる可能性があることから、ある程度（例えば、１５ｃｍ以上）離間していることが好ましく、より霧が凝結して水となる可能性を避けるためには、装置内の部材に対して２０ｃｍ以上離間されていることが好ましい。なお、こうしたケースの内側面や他の部材との距離は、二流体ノズルの先端と該二流体ノズルからの霧の噴霧方向に位置する部材等との距離であり、二流体ノズルから放射方向に存在する部材との距離ではない。なお、二流体ノズルから噴霧される霧の噴霧量（Ｌ／ｈ）は、噴霧される霧の平均粒子径や装置内の部材との離間距離を考慮して決定される。
【００１０】
また、第２の発明（請求項２記載の発明）は、上記第１の発明において、前記ケース内には、前記二流体ノズルに水を供給する給水装置及び該二流体ノズルに空気を供給する圧縮機を備えてなることを特徴とするものである。
【００１１】
この第２の発明では、ケース内には、前記二流体ノズルに水を供給する給水装置及び該二流体ノズルに空気を供給する圧縮機を備えてなる（パッケージ化されている）ことから、給水装置や圧縮機の設置が不要となるばかりではなく、該給水装置や圧縮機と二流体ノズルとの細かい配管作業が極めて簡単になり工期を著しく短縮することが可能となる。
【００１２】
また、第３の発明（請求項３記載の発明）は、上記第１又は第２の発明において、前記二流体ノズルは、前記ケース内において、前記ファンの駆動により生ずる気流の方向とは逆方向に又は逆方向の成分をもって噴霧するよう配置されてなることを特徴とするものである。
【００１３】
この第３の発明では、二流体ノズルは、前記ケース内において、前記ファンの駆動により生ずる気流の方向とは逆方向に又は逆方向の成分をもって噴霧するよう配置されてなることから、二流体ノズルから噴霧された霧は、先ず、気流の上流方向に移動し、その後に、気流の方向と同じ方向に移動されることとなり、噴霧された霧の気化効率をより向上させることができ、ファンの駆動開始時点から早い段階で湿度を上げることが可能となる。また、この第３の発明によれば、二流体ノズルから噴霧された霧が気化に要する空間をさらに狭めることができ、この結果、より一層ケースの小型化を実現することができる。
【００１４】
また、第４の発明（請求項４記載の発明）は、上記第１，第２又は第３の発明において、前記二流体ノズルに供給される水は純水であることを特徴とするものである。
【００１５】
この第４の発明では、前記二流体ノズルに供給される水は純水であることから、水道水に含まれるカルシウム等の不純物により、該二流体ノズルに形成された微細な噴霧孔が詰まり、或いは、その不純物が室内に拡散され、例えば、パーソナルコンピュータのモニター画面に付着する等の悪影響を有効に防止することができる。
【００１６】
また、第５の発明（請求項５記載の発明）は、上記第１，第２，第３又は第４の何れかの発明において、前記ファンは、併設された空調装置を構成するファンであるとともに、該ファンの駆動により空気が前記流入口から流入し前記流出口から上記空調装置又は室内に加湿された状態で流出することを特徴とするものである。
【００１７】
この第５の発明では、前記ファンは、併設された空調装置を構成するファンであるとともに、該ファンの駆動により空気が前記流入口から流入し前記流出口から上記空調装置又は室内に加湿された状態で流出することから、ケース内にファンを配置する必要がなく、一層ケースの小型化を図ることができるとともに、既存の空調装置に対して簡単に併設することができる。
【００１８】
また、第６の発明（請求項６記載の発明）は、上記第１，第２，第３，第４又は第５の各発明の何れかにおいて、前記ケースは、天井を構成する天井板上又は壁を構成する壁板の内側に設置されてなることを特徴とするものである。
【００１９】
この第６の発明では、ケースは、天井を構成する天井板上又は壁を構成する壁板の内側に設置されてなることから、二流体ノズルからの霧の噴霧時に発生する騒音を遮音することができる。一般的に、二流体ノズルは、空気量が多いほど噴霧される霧の平均粒子径は細かくなると同時に騒音が大きくなる傾向にあるが、この第６の発明によれば、平均粒子径がさらに細かい霧を噴霧する二流体ノズルを採用することができ、より一層加湿効果を高めることができるとともに、さらに小型のケースを用いることができる。なお、上記平均粒子径はレーザー光拡散法により測定したザウター平均粒子径である。
【００２０】
【発明の実施の形態】
以下、本発明の各実施の形態に係る加湿装置について、それぞれ図面を参照しながら詳細に説明する。先ず、第１の実施の形態に係る加湿装置について説明する。
【００２１】
この第１の実施の形態に係る加湿装置１は、図１に示すように、天井板Ｒの上方に設置されてなるものであり、ケース２と、このケース２内に配置されてなるファン３と、二流体ノズル４とを備えている。なお、上記天井板Ｒには、一方及び他方の開口（符号は省略する。）がそれぞれ形成されている。そして、上記ケース２は、天板部２ａと、底板部２ｂと、左側板部２ｃと、右側板部２ｄと、図示しない正面側板部及び背面側板部とにより、全体形状が略箱状に成形されてなるものであり、上記左側板部２ｃには、該ケース２内に空気が流入する円形状の流入口２ｅが形成され、上記右側板部２ｄには、該ケース２内の空気が流出する流出口２ｆが形成されている。
【００２２】
そして、上記左側板部２ｃには、上記流入口２ｅと連通するように一方のダクト５の一端が固定され、また、上記右側板部２ｄには、上記流出口２ｆと連通するように他方のダクト６の一端が固定されている。上記一方及び他方のダクト５，６は、それぞれ中途部が円弧状に折曲されてなり、上記一方のダクト５の他端は、上記天井板Ｒに形成された一方の開口と連通するように該天井板Ｒに固定されている。また、上記他方のダクト６の他端は、上記天井板Ｒに形成された上記他方の開口と連通するように該天井板Ｒに固定されている。
【００２３】
また、上記ファン３は、電動ファンであり、図示しないモータの駆動により回転駆動するものであって、図１中、上記ケース２の左側から右側に気流を発生させるものである。また、本発明における上記二流体ノズル４は、水を誘引するサクション方式の外部混合型であり、単一のノズルから構成されている。この二流体ノズル４は、水（純水）が流入する第１の導管７と、圧縮空気が流入する第２の導管８とに接続されており、該第２の導管８から流入した圧縮空気により第１の導管７から内部に流入した純水が、平均粒子径が約７〜１０ミクロンの微霧として、先端に形成された上記噴霧孔から噴霧されるものである。すなわち、この二流体ノズル４は、図２に示すように、ノズルボディー９と、このノズルボディー９の先端側から内部に挿入されてなるフルイドキャップ１０と、上記ノズルボディー９内であってこのフルイドキャップ１０の外側に装着されたパッキン１１と、上記ノズルボディー９の先端に装着されたエアーキャップ１２とを備えている。
【００２４】
上記ノズルボディー９の中心には、上記水（純水）が流入する第１の水流入管部９ａと、圧縮空気が流入する空気流入管部９ｂとが形成されている。上記第１の水流入管部９ａは、上記第１の導管７が接続される部位であり、上記空気流入管部９ｂは、上記第２の導管８が接続される部位である。また、上記フルイドキャップ１０は、上記第１の水流入管部９ａ内に挿入された軸部１０ａを有し、この軸部１０ａの中心には、第２の水流入管部１０ｂが形成されている。なお、この第２の水流入管部１０ｂの先端側は小径化されている。また、このフルイドキャップ１０の先端側であって上記第２の水流入管部１０ｂの外周側には、空気が流入する第１の空気流入孔１０ｃが多数形成されている。また、上記パッキン１１は、ゴムによりリング状に成形されてなるとともに、上記軸部１０ａに外嵌挿されてなるものである。そして、このパッキン１１には、ノズルボディー９に形成された上記空気流入管部９ｂと、上記フルイドキャップ１０に形成された第１の空気流入孔１０ｃとにそれぞれ連通してなる第２の空気流入孔１１ａが形成されている。また、上記エアーキャップ１２の中心には、上記第２の水流入管部１０ｂに連通し、水（純水）が外部に噴射される噴霧孔１２ａが形成されている。なお、この噴霧孔１２ａは、エアーキャップ１２の先端側にかけて徐々に大径化されてなるものであり、該噴霧孔１２ａの周囲には、上記フルイドキャップ１０に形成された第１の空気流入孔１０ｃと該噴霧孔１２ａとに連通する第３の空気流入孔１２ｂが複数形成されている。なお、この第１の実施の形態に係る加湿装置１においては、図１に示すように、上記第１の導管７は、上記ケース２内に配置された給水タンク１３に接続され、この給水タンク１３は、第３の導管１４を介して純水装置１５に接続されている。この純水装置１５は、図示しない水道に接続されてなるとともに内部で純水を製造するものである。また、上記第２の導管８は、間に図示しない電磁弁が取り付けられた状態で圧縮機１６に接続されている。
【００２５】
したがって、二流体ノズル４を構成する上記エアーキャップ１２の噴霧孔１２ａからは、上記ノズルボディー９の第１の水流入管部９ａ内に流入した水（純水）と、空気流入管部９ｂから流入した圧縮空気とが混ざり合い、細かい霧となって放出される。なお、この実施の形態に係る加湿装置１においては、この二流体ノズル４からは平均粒子径が約７〜１０ミクロンの超微霧が噴霧される。また、この実施の形態においては、上記二流体ノズル４は、図１に示すように、上記ファン３と右側板部２ｄとの間に配置されてなるとともに、該二流体ノズル４からの霧Ｍが上記ファン３の方向に噴霧されるように配置されている。すなわち、上記二流体ノズル４は、上記ファン３の駆動により生ずる気流の下流側に配置されてなるとともに、該二流体ノズル４からの霧Ｍが気流の上流側に噴霧されるように配置されている。
【００２６】
以下、上述した第１の実施の形態に係る加湿装置１の動作を説明する。先ず、上記ケース２内のファン３が駆動を開始することにより、室内の空気は、上記一方のダクト５を通過して該ケース２内に流入し、上記他方のダクト６を通過して再び室内に流出される。すなわち、上記ファン３の駆動により、図１中矢印で示す方向の気流が発生する。このとき、上記圧縮機１６の駆動が開始されるとともに図示しない電磁弁が開放されると、上記純水装置１５で製造され給水タンク１３内に収容された純水は、上記二流体ノズル４の先端から霧Ｍとなって、上記ファン３の方向に噴霧される。このように、ファン３の方向に（上記気流の方向とは逆方向に）噴霧された霧Ｍは、やがて気流の方向に流れるとともに気化し、上記他方のダクト６を通過して室内に流出する。
【００２７】
したがって、上述した加湿装置１によれば、有効に室内の湿度を上昇させることができる。特に、この加湿装置１では、上記二流体ノズル４から平均粒子径が約７〜１０ミクロンの微霧Ｍが噴霧されるとともに、ファン３により発生する気流の方向とは逆方向に霧Ｍが噴霧されることから、噴霧された霧Ｍが水となって凝結される危険性が有効に防止され、加湿効率を格段に高めることができるばかりではなく、ケース２をきわめて小さなものとすることができ、さらに、この加湿装置１は、天井板Ｒ上に設置されていることから、該二流体ノズル４により発生する騒音を有効に遮音することができる。
【００２８】
次に、第２の実施の形態に係る加湿装置２１について、図面を参照しながら詳細に説明する。この加湿装置２１は、図３に示すように、壁板Ｗの内側に設置されてなるものであり、ケース２２と、このケース２２内に配置されてなるファン２３と、二流体ノズル２４とを備えている。
【００２９】
なお、図３中、上記壁板Ｗの左側は該壁板Ｗの外側（室内）であり、右側は内側である。そして、この壁板Ｗには、一方の開口（符号は省略する）が形成され、この一方の開口の下方には他方の開口（符号は省略する。）が形成されている。そして、上記ケース２２は、天板部２２ａと、底板部２２ｂと、正面板部２２ｃと、背面板部２２ｄと、図示しない左側板部及び右側板部とにより、全体形状が略箱状に成形されてなるものであり、上記底板部２２ｂには、該ケース２２内に空気が流入する円形状の流入口２２ｅが形成され、上記天板部２２ａには、該ケース２２内の空気が流出する流出口２２ｆが形成されている。
【００３０】
そして、上記底板部２２ｂには、上記流入口２２ｅと連通するように一方のダクト２５の一端が固定され、また、上記天板部２２ａには、上記流出口２２ｆと連通するように他方のダクト２６の一端が固定されている。上記一方及び他方のダクト２５，２６は、それぞれ中途部が円弧状に折曲されてなり、上記一方のダクト２５の他端は、上記壁板Ｗに形成された一方の開口と連通するように該壁板Ｗの内側に固定されている。また、上記他方のダクト２６の他端は、上記壁板Ｗに形成された上記他方の開口と連通するように該壁板Ｗの内側に固定されている。
【００３１】
また、上記ファン３は、電動ファンであり、図示しないモータの駆動により回転駆動するものであって、図３中、上記ケース２２の下方から上方に気流を発生させるものである。また、上記二流体ノズル２４は、水（純水）が流入する第１の導管２７と、圧縮空気が流入する第２の導管２８とに接続されており、該第２の導管２８から流入した圧縮空気により第１の導管２７から内部に流入した純水が、平均粒子径が約７〜１０ミクロンの微霧として、先端に形成された上記噴霧孔から噴霧されるものである。なお、この二流体ノズル２４は、前記第１の実施の形態に係る加湿装置１を構成する二流体ノズル４と同一であることから説明を省略する。そして、この二流体ノズル２４に接続された上記第１の導管２７は、上記ケース２２内に配置された給水タンク２９に接続され、この給水タンク２９は、第３の導管３０を介して純水装置３１に接続されている。また、上記第２の導管２８は、間に図示しない電磁弁が取り付けられた状態で圧縮機３２に接続されている。
【００３２】
そして、この第２の実施の形態に係る加湿装置２１では、上記二流体ノズル２４は、上記ファン２３の上方であって、先端は該ファン２３の方向（下方）に向いた状態で配置されている。すなわち、上記二流体ノズル２４は、上記ファン２３の駆動により発生する気流の方向とは逆方向に霧Ｍが噴霧されるように配置されている。
【００３３】
したがって、上述した第２の実施の形態に係る加湿装置２１による場合であても、有効に室内の湿度を上昇させることができるとともに、ケース２２の大きさを極めて小さなものとすることができる。特に、この加湿装置２１においても、上記二流体ノズル２４から平均粒子径が約７〜１０ミクロンの微霧Ｍが噴霧されるとともに、ファン２３により発生する気流の方向とは逆方向に霧Ｍが噴霧されることから、噴霧された霧Ｍが水となって凝結される危険性が有効に防止され、加湿効率を格段に高めることができるとともに、この加湿装置２１は、壁板Ｗの内側に設置されていることから、該二流体ノズル２４により発生する騒音を有効に遮音することができる。
【００３４】
次に、第３の実施の形態に係る加湿装置４１について、図４を参照しながら詳細に説明する。この加湿装置４１は、前記第１の実施の形態に係る加湿装置１と同じように、天井板Ｒ上に設置されてなるとともに、該天井板Ｒに固定された天井埋込式空調装置４２に接続されてなるものである。
【００３５】
この天井埋込型空調装置（以下、空調装置という。）４２は、図示しない構造物のスラブの下方に設けられた上記天井板Ｒに取り付けられてなる筐体４３と、この筐体４３に内蔵されてなるファン４４と、上記筐体４３に内蔵され上記ファン４４の側方に固定されてなる熱交換器４５とを備えている。上記筐体４３は、合成樹脂により外形形状が略直方体に成形されてなるものであり、下面の周囲には、上面が上記天井板Ｒの下面に密着されるフランジ部４３ａが形成され、下面中央には、室内の空気が吸い込まれる吸込口４３ｂが形成され、この吸込口４３ｂの周囲には、吹出口４３ｃが形成されている。また、上記ファン４４は、電動モータ４７に連結されてなるとともに、上記吸込口４３ｂの上方に位置している。なお、上記ファン４４と上記吸込口４３ｂとの間には、フィルター４８が配置されている。また、このファン４４が内蔵された上記筐体４３内は、上記吸込口４３ｂと上記吹出口４３ｃとを仕切る仕切り板部４３ｄが形成され、この仕切り板部４３ｄの上端側には、それぞれ上記熱交換器４５が配設されている。これらの熱交換器４５は、この空調装置４２が設置される室内の気温を測定する図示しない温度センサによる室温の検出により冷房運転・暖房運転として駆動するよう構成されてなるものであり、それぞれ上記ファン４４の側方に配設されている。
【００３６】
また、上記空調装置４２を構成する筐体４３には、上記吸込口４３ｂから吸い込まれ上記熱交換器４５により熱交換された空気が外部に流出する流出口４３ｅが形成されているとともに、上記吹出口４３ｃに連通した流出口４３ｆが形成されている。
【００３７】
一方、上述した空調装置４２の側方には、加湿装置４１が設置されている。この加湿装置４１は、ケース５２と、このケース５２内に配置されてなる二流体ノズル５４とを備えている。上記ケース５２は、天板部５２ａと、底板部５２ｂと、左側板部５２ｃと、右側板部５２ｄと、図示しない正面側板部及び背面側板部とにより、全体形状が略箱状に成形されてなるものであり、上記右側板部５２ｄには、該ケース５２内に空気が流入する円形状の流入口５２ｅが形成され、上記左側板部５２ｃには、該ケース５２内の空気が流出する流出口５２ｆが形成されている。
【００３８】
そして、上記右側板部５２ｄには、上記流入口５２ｅと連通するように一方のダクト５５の一端が固定され、この一方のダクト５５の他端は、上記空調装置４２の流出口４３ｅと連通するように、上記筐体４３に固定されている。すなわち、この第３の実施の形態に係る加湿装置４１では、該加湿装置４１を構成するケース５２と、上記空調装置４２とは、一方のダクト５５により接続され、上記空調装置４２を構成するファン４４の駆動により上記吸込口４３ｂから吸い込まれ上記熱交換器４５を通過した空気が、上記ケース５２内に流入するように構成されている。また、上記ケース５２を構成する左側板部５２ｃには、上記流出口５２ｆと連通するように他方のダクト５６の一端が固定され、この他方のダクト５６の他端は、上記空調装置４２に形成された流出口４３ｆと連通するように筐体４３に固定されている。すなわち、この加湿措置４１では、該加湿装置４１を構成するケース５２と、上記空調装置４２とは、他方のダクト５６により接続され、上記空調装置４２を構成するファン４４の駆動により上記ケース５２内を通過した空気が、上記空調装置４２を構成する筐体４３内に流入し、該筐体４３に形成された吹出口４３ｃから室内に吹出されるように構成されている。
【００３９】
また、上記二流体ノズル５４は、上記ケース５２内に配置されてなるとともに、先端は、上記一方のダクト５５を介して流入する空気の上流側に向いて配置されている。すなわち、上記二流体ノズル５４は、気流の方向とは逆方向に霧Ｍが噴霧されるようにケース５２内に配置されている。なお、この二流体ノズル５４は、前記第１の実施の形態に係る加湿装置１を構成する二流体ノズル４と同一の構成であることから説明は省略する。但し、この第３の実施の形態に係る加湿装置４１においては、上記二流体ノズル５４に純水を第１の導管５８を介して供給する給水タンク５９と、該二流体ノズル５４に第２の導管６０を介して圧縮空気を供給する圧縮機６１は、それぞれ上記ケース５２内に収納されている。なお、上記給水タンク５９には、第３の導管６２を介して純水装置６３に接続されている。
【００４０】
上述した第３の実施の形態に係る加湿装置４１によれば、前述した第１の実施の形態に係る加湿装置１と同様の作用効果を奏するばかりではなく、気流を起こすファン４４は、該加湿装置４１に併設された空調装置４２の構成要素であり、ケース５２内に配置されているものではないことから、ファンを別個に構成要素とする場合に比べコストを下げることができるとともに、二流体ノズル５４から噴霧された霧Ｍがファン４４に付着して水となる危険性もなく、ケース５２を更に小さなものとすることができる。また、この加湿装置４１では、ケース５２内には、前記二流体ノズル５４に純水を供給する給水タンク５９及び該二流体ノズル５４に空気を供給する圧縮機６１を備えてなり、パッケージ化されていることから、給水タンク５９ばかりではなく圧縮機６１を別個に設置することが不要となるばかりではなく、該給水タンク５９や圧縮機６１と二流体ノズル５４との細かい配管作業が極めて簡単になり工期を著しく短縮することが可能となる。
【００４１】
なお、上述した第３の実施の形態に係る加湿装置４１のように、空調装置４２と併設し、且つ、該空調装置４２を構成するファン４４により気流を起こす構成を採用する場合には、上述した構造ばかりではなく、第４の実施の形態として、図５に示す加湿装置７１のような構成としても良い。
【００４２】
この第４の実施の形態に係る加湿装置７１に併設された天井埋込型空調装置（以下、空調装置という。）７２は、筐体７３と、この筐体７３内に配置されたファン７４と、このファン７４の側方に配置された熱交換器７５とを備え、上記筐体７３の下面中央には、室内の空気を吸い込む吸込口７３ａが形成され、また、この吸込口７３ａの側方には、間に仕切り板７３ｂを介して仕切られてなるとともに、空気が室内に吹出される吹出し口７３ｃが形成されている。なお、上記ファン７４の下方には、フィルター７６が配置されている。また、上記筐体７３には、上記吸込口７３から吸い込まれ上記フィルター７６を通過し、さらに上記熱交換器７５により熱交換された空気が、外部に流出する流出口７３ｄが形成されている。また、この筐体７３には、外部の空気が該筐体７３内に流入し、上記吹出口７３ｃに連通してなる流入口７３ｅが形成されている。
【００４３】
一方、上記加湿装置７１は、ケース８２と、このケース８２内に配置された二流体ノズル８４とを備えている。上記ケース８２は、天板部８２ａと、底板部８２ｂと、左側板部８２ｃと、右側板部８２ｄと、図示しない正面側板部及び背面側板部とにより、全体形状が略箱状に成形されてなるものであり、上記右側板部８２ｄの内側には、該ケース８２を略上下に二分割する仕切り板部８２ｅの基端が固定され、該仕切り板８２ｅの先端は、上記左側板部８２ｃの内側面とはやや離間されている。そして、上記ケース８２を構成する上記右側板部８２ｄであって、上記仕切り板部８２ｅの上方には、ケース８２内に空気が流入する流入口８２ｆが形成され、該仕切り板部８２ｅの下方には、ケース８２内の空気が流出する流出口８２ｇが形成されている。そして、上記ケース８２の右側板部８２ｄには、上記流入口８２ｆに連通するように一方のダクト８５の一端が固定され、この一方のダクト８５の他端は、上記空調装置７２の筐体７３に形成された流出口７３ｄに連通するように該筐体７３に固定されている。すなわち、この加湿装置７１では、上記ケース８２と筐体７３とは、上記一方のダクト８５により接続され、熱交換器７５により熱交換された空気は、該一方のダクト８５を通って上記ケース８２内に流入するように構成されている。また、上記ケース８２の右側板部８２ｄには、上記流出口８２ｇに連通するように他方のダクト８６の一端が固定され、この他方のダクト８６の他端は、上記空調装置７２の筐体７３に形成された流入口７３ｅに連通するように該筐体７３に固定されている。すなわち、この加湿装置７１では、上記ケース８２と筐体７３とは、上記他方のダクト８６により接続され、ケース８２内の空気は、該他方のダクト８６を通って上記筐体７３内に流入するように構成されている。なお、上記二流体ノズル８４は、上記仕切り板部８２ｅの基端側下方に配置されており、前記第３の実施の形態に係る加湿装置４１に設置されたものと同じように、純水を第１の導管（符号は省略する。）を介して供給する給水タンク８７と、該二流体ノズル８４に第２の導管（符号は省略する。）を介して圧縮空気を供給する圧縮機８８は、それぞれ上記ケース８２内に収納されている。なお、上記給水タンク８７には、第３の導管８を介して純水装置９０に接続されている。
【００４４】
上述した第４の実施の形態に係る加湿装置７１では、上記空調装置７２の構成要素であるファン７４の駆動により、上記吸込口７３ａから流入した空気は、フィルター７６を通過し、熱交換器７５により熱交換された後に、上記一方のダクト８５を介してケース８２内に流入し、該ケース８２を構成する仕切り板部８２ｅの上方を通過して左側板部８２ｃ側に移動した後に、今度は仕切り板部８２ｅの下側を通過して上記他方のダクト８６を介して筐体７３内に流入し、上記吹出口７３ｃから室内に吹出される。このとき、上記ケース８２内に設けられた仕切り板部８２ｅの下方に配置された二流体ノズル８４からは、ファン７４の駆動により発生する気流の方向とは逆方向に霧Ｍが噴霧され、この噴霧された霧Ｍは、やがて気流に乗って上記空調装置７２に形成された吹出口７３ｃから室内に吹出される。
【００４５】
したがって、この第４の実施の形態に係る加湿装置７１によれば、前記第３の実施の形態に係る加湿装置４１と同様の作用効果を奏することができるばかりではなく、この加湿装置７１では、ケース８２の内部が仕切り板部８２ｅにより仕切られ、該ケース８２内に空気が流入する流入口８２ｆの下方にケース８２内の空気が流出する流出口８２ｇが設けられている（空調装置７２を構成する筐体７３と加湿装置７１とを接続する一方のダクト８５と他方のダクト８６とが上下関係を有した状態で配置されている）ことから、前記第３の実施の形態に係る加湿装置４１のように、長尺なダクト（他方のダクト５６）を配置する必要がない。したがって、この加湿装置７１ないしは、この加湿装置７１が接続された空調装置７２によれば、装置全体の小型化に十分寄与することができ、さらには、二流体ノズル８４は、加湿装置７１内に配置されていることから、空調装置７２内に配置されている場合に比べて、噴霧された霧Ｍが他の部材の表面において凝結し水となり、加湿効率を損なう危険性も防止することができる。
【００４６】
次に、第５の実施の形態に係る加湿装置９１について、図６及び図７を参照しながら詳細に説明する。この加湿装置９１は、室内に設置されるものであって、ケース９２と、このケース９２内に配置されたファン９３と、このファン９３の下方に配置された二流体ノズル９４とを備えている。
【００４７】
上記ケース９２は、図７に示すように、正面板部９２ａと背面板部９２ｂと天板部９２ｃと底板部９２ｄと左側板部９２ｅ及び右側板部９２ｆとから箱状に成形されてなるものであり、上記正面板部９２ａの下端側には、該ケース９２内に室内の空気が流入する流入口９２ｈが形成されている。また、上記天板部９２ｃには、ケース９２内の空気が流出する流出口９２ｉが形成され、この流出口９２ｉの下方にファン９３が固定されている。なお、上記ケース９２を構成する天板部９２ｃには、ダクト９５が固定されており、このダクト９５内には、上記ファン９３を構成する筒状部９３ａが挿通されている。また、上記ケース９２内であって、上記流入口９２ｉの形成位置よりもやや上方には、ドレンパン９６が固定されている。また、このドレンパン９６の背面側には、仕切り板部９２ｊが設けられ、この仕切り板部９２ｊの下端側には、上記流入口９２ｈから流入した空気が上記ファン９３方向に流通する流通口９２ｋが形成されている。
【００４８】
また、上記ケース９２内であって、上記ドレンパン９６の上方には、上記二流体ノズル９４が配置されている。この二流体ノズル９４は、前記各実施の形態に係る加湿装置１，２１，４１，７１を構成する二流体ノズル４，２４，５４，８４と同一のものであり、上記流通口９２ｋから流出する空気に対して斜めから霧Ｍが噴霧される位置に配置されている。そして、この二流体ノズル９４は、図６に示すように、第１の導管９７を介して圧縮機９８に接続されている。この圧縮機９８は、上記ドレンパン９６の下方に配置されており、上記二流体ノズル９４と接続している第１の導管９７の中途部には、図示しない電磁弁が取り付けられ、この電磁弁の開放により圧縮機９８内の空気が二流体ノズル９４に圧送される。また、上記二流体ノズル９４には、第２の導管９９を介して給水タンク１００に接続され、この給水タンク１００は、第３の導管１０１を介して、純水装置１０２に接続されている。
【００４９】
したがって、上述した第５の実施の形態に係る加湿装置９１による場合であっても、二流体ノズル９４から噴霧される霧Ｍは、上記ファン９３の駆動により生ずる気流に乗って移動するとともに気化した状態で外部に流出されることから、極めて効率良く室内の湿度を上昇させることができるとともに、ケース９２を小さなものとすることができる。特に、この実施の形態に係る加湿装置９１では、二流体ノズル９４に供給される圧縮空気を貯留する圧縮機９８や給水タンク１００ばかりではなく、上記給水タンク１００に接続された純水装置１０２もケース９２内に収容されている（パッケージ化されている）ことから、設置する室内での配管作業は極めて簡便なものとなるとともに、所望の場所に移動させることも可能となる。
【００５０】
【発明の効果】
上述した本発明の各実施の形態の説明からも明らかなように、本発明（請求項１記載の発明）では、ファンの駆動による生ずる気流の経路中に平均粒子径１５ミクロン以下の霧を噴霧する二流体ノズルが配置されてなることから、気化式の加湿手段に比べて約３倍の加湿能力を有し、極めて効率良く加湿することができるばかりではなく、噴霧された霧が気化するために必要な空間を著しく狭めることができ、この結果、ケース全体の大きさを十分コンパクトなものとすることができる。また、この発明によれば、上記二流体ノズルからは、平均粒子径１５ミクロン以下の霧が噴霧されることから、狭められた空間においてもケースの内側面や該ケース内に配置された各部材の表面において噴霧された霧が凝結し再び水となることを避けることができる。
【００５１】
また、第２の発明（請求項２記載の発明）では、ケース内には、前記二流体ノズルに水を供給する給水装置及び該二流体ノズルに空気を供給する圧縮機を備えてなる（パッケージ化されている）ことから、給水装置や圧縮機の設置が不要となるばかりではなく、該給水装置や圧縮機と二流体ノズルとの細かい配管作業が極めて簡単になり工期を著しく短縮することが可能となる。
【００５２】
また、第３の発明（請求項３記載の発明）では、二流体ノズルは、前記ケース内において、前記ファンの駆動により生ずる気流の方向とは逆方向に又は逆方向の成分をもって噴霧するよう配置されてなることから、二流体ノズルから噴霧された霧は、先ず、気流の上流方向に移動し、その後に、気流の方向と同じ方向に移動されることとなり、噴霧された霧の気化効率をより向上させることができ、ファンの駆動開始時点から早い段階で湿度を上げることが可能となる。また、この第３の発明によれば、二流体ノズルから噴霧された霧が気化に要する空間をさらに狭めることができ、この結果、より一層ケースの小型化を実現することができる。一例として、対向流（逆方向）の方が平行流（順方向）に比べて３割程度のコンパクト化が図られている（空気条件：摂氏１６〜１７度、相対湿度５０〜５５％ＲＨ、風速３ｍ／ｓ）。
【００５３】
また、第４の発明（請求項４記載の発明）では、前記二流体ノズルに供給される水は純水であることから、水道水に含まれるカルシウム等の不純物により、該二流体ノズルに形成された微細な噴霧孔が詰まったり、或いは、その不純物が室内に拡散され、例えば、パーソナルコンピュータのモニター画面に付着する等の悪影響を有効に防止することができる。
【００５４】
また、第５の発明（請求項５記載の発明）では、前記ファンは、併設された空調装置を構成するファンであるとともに、該ファンの駆動により空気が前記流入口から流入し前記流出口から上記空調装置又は室内に加湿された状態で流出することから、ケース内にファンを配置する必要がなく、一層ケースの小型化を図ることができるとともに、既存の空調装置に対して簡単に併設することができる。
【００５５】
また、第６の発明（請求項６記載の発明）では、ケースは、天井を構成する天井板上又は壁を構成する壁板の内側に設置されてなることから、二流体ノズルからの霧の噴霧時に発生する騒音を遮音することができる。一般的に、二流体ノズルは、空気量が多いほど噴霧される霧の平均粒子径は細かくなると同時に騒音が大きくなる傾向にあるが、この第６の発明によれば、平均粒子径がさらに細かい霧を噴霧する二流体ノズルを採用することができ、より一層加湿効果を高めることができるとともに、さらに小型のケースを用いることができる。
【図面の簡単な説明】
【図１】本発明の第１の実施の形態に係る加湿装置を示す正断面図である。
【図２】二流体ノズルを示す断面図である。
【図３】本発明の第２の実施の形態に係る加湿装置を示す側断面図である。
【図４】本発明の第３の実施の形態に係る加湿装置を示す正断面図である。
【図５】本発明の第４の実施の形態に係る加湿装置を示す正断面図である。
【図６】本発明の第５の実施の形態に係る加湿装置を示す正断面図である。
【図７】本発明の第５の実施の形態に係る加湿装置を示す側断面図である。
【符号の説明】
１    加湿装置
２    ケース
２ｅ    流入口
２ｆ    流出口
３    ファン
４    二流体ノズル
１３    給水タンク
２１    加湿装置
２２    ケース
２３    ファン
２４    二流体ノズル
２９    給水タンク
４１    加湿装置
４２    天井埋込型空調装置
４４    ファン
５２    ケース
５２ｅ    流入口
５２ｆ    流出口
５４    二流体ノズル
５９    給水タンク
６１    圧縮機
７１    加湿装置
７２    天井埋込型空調装置
７４    ファン
８２    ケース
８２ｆ    流入口
８２ｇ    流出口
８４    二流体ノズル
８７    給水タンク
８８    圧縮機
９１    加湿装置
９２    ケース
９２ｈ    流入口
９２ｉ    流出口
９３    ファン
９４    二流体ノズル
９８    圧縮機
１００    給水装置
１０２    純水装置
Ｒ    天井板
Ｗ    壁板
Ｍ    霧
【図１】
2005069497.tif 000003
【図２】
2005069497.tif 000004
【図３】
2005069497.tif 000005
【図４】
2005069497.tif 000006
【図５】
2005069497.tif 000007
【図６】
2005069497.tif 000008
【図７】
2005069497.tif 000009